(57)【特許請求の範囲】
【請求項１】
機枠に回動自在に支承され、ゼンマイばねを弾装した出力軸に、外形が円錐台形でその外周面に螺旋状のワイア溝を形成した傘車を一体に結合し、この傘車に吊りワイア６を巻付けて吊りワイアの出力を一定にしたものにおいて、吊りワイアの引出し端付近にワイアストッパーを同軸に固定すると共にその傘車側の端部を円錐台形に成形し、一方、傘車に臨む機枠に、専ら吊りワイアの引出し端を一時的に機枠に係止する目的で、吊りワイアを導入するため外端が開き、吊りワイアを通すことかできる幅のスリット状の切欠を形成し、この切欠の内端における機枠の外面に、ワイアストッパーの円錐台形の端部と接合可能な凹陥部を形成したことを特徴とするスプリングバランサーの吊りワイア固定機構。
【発明の詳細な説明】
【０００１】
【発明の属する技術分野】
この発明は、スプリングバランサーの吊りワイア固定機構（以下単にワイア固定機構という）に係り、特に、工場出荷後取り付け現場に致る途中において、予め引出して固定しておく吊りワイアを機枠から外れ難くしたワイア固定機構に関する。
【０００２】
【従来の技術】
スプリングバランサーとは、例えば上げ下げ窓、黒板等上下方向に移動可能に案内されたものを任意の上下位置に保持できるように、或いは上げ下げ操作に要する力を小さくすることができるように構成された一種のばね装置である。
【０００３】
その一例の作動原理を図１を参照して説明すると、機枠１に固定された薄肉筒状のハウジング２内に、外端をハウジング２の内周面に、内端を出力軸３に夫々連係させたゼンマイばね４が収納されている。
【０００４】
上記出力軸３には、外形が例えば円錐台形で、その外周面に螺旋状のワイア溝を形成した合成樹脂製の傘車５が一体に結合されており、この傘車５に、例えば和独楽に紐を巻き付けるように、吊りワイア６が巻付けられている。
【０００５】
なお、図１で符号７は傘カバーを示し、上記出力軸３は機枠１及びこの傘カバー７に回動可能に支持されると共に、上記吊りワイア６は傘カバー７の切欠部分を通って外部に引出される。
【０００６】
図１は吊りワイア６を傘カバー７内に一杯に引き込んだ状態を示し、このときゼンマイばね４は作用する外力が小さな自然状態に近い状態にある。
【０００７】
吊りワイア６を外部に引出して行くと、傘車５は図１の上方から見て時計方向に回動し、吊りワイア６が傘車５から巻解れる点の出力軸３からの距離Ｒが増大する一方、ゼンマイばね４は巻解されて反時計方向の出力回転モーメントが増大する。
【０００８】
そして、通常上記出力回転モーメントが距離Ｒに比例するように設定されているので、その出力Ｗは一定になる。
【０００９】
上記のように構成されたスプリングバランサーは、工場出荷後取り付け現場に致る途中吊りワイアを固定するワイア固定機構が設けられているのが普通である。
【００１０】
従来のワイア固定機構は、図２に示すように吊りワイアの引出し端付近に例えば断面が六角形のワイアストッパー７を同軸に結合し、一方、図３に示すように、機枠１に一端が開いた切欠８を形成し、この切欠８にワイアストッパー７に関し傘車側の吊りワイア６の部分を通してゼンマイばね４自身の弾力によりワイアストッパー７を機枠１に押し付けるようにして固定する（図２参照）。
【００１１】
【発明が解決しようとする課題】
上記のように構成されたワイア固定機構は、勿論所期の機能を発揮し、従来実用されてきたが、輸送途中の振動や衝撃、或いはバランサーを梱包から取り出す際、又は作業中の誤操作により、ワイアストッパー７が図２において下方に押動され、吊りワイア６の引出し端部が切欠８から外れることがある。
【００１２】
上記のようにしてワイアストッパー７が機枠から外れ、吊りワイア６の引出し端部が自由になると、ゼンマイばね４の弾力によって吊りワイア６が急激に機枠内に引き込まれ、吊りワイア６が傘車５のワイア溝から外れてしまう、という不都合がある。
【００１３】
そこで、この発明は、ワイアストッパー７をして切欠８から外れ難くしたワイア固定機構を提供し、以て上記した不都合を解消することを目的としている。
【００１４】
【課題を解決するための手段】
上記の目的を達成するため、この発明は、機枠に回動自在に支承され、ゼンマイばねを弾装した出力軸に、外形が円錐台形でその外周面に螺旋状のワイア溝を形成した傘車を一体に結合し、この傘車に吊りワイア６を巻付けて吊りワイアの出力を一定にしたものにおいて、吊りワイアの引出し端付近にワイアストッパーを同軸に固定すると共にその傘車側の端部を円錐台形に成形し、一方、傘車に臨む機枠に、専ら吊りワイアの引出し端を一時的に機枠に係止する目的で、吊りワイアを導入するため外端が開き、吊りワイアを通すことかできる幅のスリット状の切欠を形成し、この切欠の内端における機枠の外面に、ワイアストッパーの円錐台形の端部と接合可能な凹陥部を形成したことを特徴とする。
【００１５】
【実施例】
以下この発明の一実施例を図４および図５を参照して説明する。
これらの図において符号１は機枠を示し、この機枠１は図３において専ら吊りワイアの引出し端を一時的に機枠に係止するための切欠８を形成した板状の機枠１の部分を拡大し、かつ図面を明瞭にするため他の部材の図示を省略している。
【００１６】
この機枠１の切欠８の内端における外面（図２においてワイアストッパー７が弾接している部分）には、ワイアストッパー７の円錐台形の端部（傘車側の端部）と接合可能な凹陥部１０が形成されている。
【００１７】
具体的には、切欠８の内端における機枠１の外面にザグリ（または座押し）加工を施すことによりこの凹陥部１０を形成する。
【００１８】
なお、ワイアストッパー７の傘車側の端部は、従来のスプリングバランサーと同様に、円錐台形に成形されているものとする。
【００１９】
また、図２において符号１１はラチェットホイールを、符号１２はアンクルを夫々示し、アンクルばね１３の弾力により半時計方向に付勢されたアンクル１２とラチェットホイール１１と係合により、ラチェットホイール１１が時計方向或いは反時計方向の何れの方向に回動しても、すなわち上げ下げ窓等が上下何れの方向に移動しても、その作動にクリック感を与えるが、これらの機構はこの発明の要旨ではないので、更に詳細な説明は省略する。
【００２０】
上記のように構成されたこの発明の一実施例によるワイア固定装置は、従来のものと同様に、吊りワイア６の引き出し端部の、ワイアストッパー７に関し傘車側の部分（図５でワイアストッパー７より右側の部分）を切欠８に通し、その状態で手を放す。
【００２１】
すると、吊りワイア６は常時傘車に巻き付こうとする方向に付勢されているから、その付勢力によりワイアストッパー７は凹陥部１０に弾接する方向に移動し、図５に示すように、ワイアストッパーの円錐台形の端部９と凹陥部１０とが相互に接合するに至る。
【００２２】
なお、このときワイアストッパー７及び凹陥部１０が整合していない場合でも、ワイアストッパー７の端部９と凹陥部１０との間に生じる楔作用により自動的に調心が行われ、円錐台形の端部９の外周面と凹陥部１０の内周面とが相互に接合する。
【００２３】
この状態で振動や衝撃、或いは前記した理由によりワイアストッパー７に切欠８から外れる方向の力（図５で下向きの力）が加わった場合、その力は円錐台形の端部９の外周面と凹陥部１０の内周面との間の楔作用によりワイアストッパー７を図５で左方、すなわち傘車からの付勢力とは反対方向に移動させようとする力に変換されるから、傘車からの弾力がこれを吸収してしまい、ワイアストッパー７は切欠８から外れなくなる。
【００２４】
【発明の効果】
以上の説明から明らかなように、この発明は、従来のワイア固定機構の切欠の内端における機枠の外面にワイアストッパーの円錐台形の端部と接合する凹陥部を形成する、という簡単な構成の付加により、原理上ワイアストッパーが切欠から外れることを防止できる、少なくとも極めて外れ難くなる、という効果を奏する。
【図面の簡単な説明】
【図１】スプリングバランサーの作動原理を説明するための外観斜視図。
【図２】スプリングバランサーの正面図。
【図３】その側面図。
【図４】この発明の一実施例によるワイア固定機構の切欠部外面の拡大正面図。
【図５】その拡大断面図。
【符号の説明】
１  機枠
６  吊りワイア
７  ワイアストッパー
８  切欠
９  端部
１０  凹陥部
【図１】
0003809559.tif 000002
【図２】
0003809559.tif 000003
【図３】
0003809559.tif 000004
【図４】
0003809559.tif 000005
【図５】
0003809559.tif 000006